(57)【要約】【課題】各端末が無線回線又は有線回線を通じてデータを送受信するデータ送受信システムにおいて、そのシステム構成を簡単にするとともに、各端末と無線回線及び有線回線との配線量を低減すること。【解決手段】各端末が無線回線又は有線回線を通じてデータを送受信するデータ送受信システムにおいて、前記各端末、無線回線及び有線回線を、データのアナログ・デジタル変換が可能なＩＰ化モジュールを介してネットワーク網に接続可能とした。【選択図】図１
2007325003.tif 000002
【特許請求の範囲】
【請求項１】
各端末が無線回線又は有線回線を通じてデータを送受信するデータ送受信システムにおいて、前記各端末、無線回線及び有線回線を、データのアナログ・デジタル変換が可能なＩＰ化モジュールを介してネットワーク網に接続可能としたデータ送受信システム。
【請求項２】
前記各端末に付帯するＩＰ化モジュールが、無線でネットワーク網に接続可能なものである請求項１に記載のデータ送受信システム。
【発明の詳細な説明】
【技術分野】
【０００１】
本発明は、音声、映像等の各種データを既存の無線回線又は有線回線を通じて送受信するデータ送受信システムに関する。
【背景技術】
【０００２】
情報化の進んだ近代社会では、音声、映像等の各種データのやり取りが頻繁に行われている。図５は、無線機すなわち無線回線による音声の送受信システムの従来例を示す。
【０００３】
図５において、音声の受信は以下のように行われる。
１．無線機が音声を受信すると、その受信音声は音声分散装置（図５では「音声分散」と表記）に、受信信号（ＳＱ信号）は制御分散装置（図５では「制御分散」と表記）に流れる。
２．受信信号は制御分散装置から各端末に流れ、それを受けて各端末は無線機から受信があったことを知らせるためにランプ等の表示を行う。
３．受信音声は音声分散装置から各端末に流れ、各端末のスピーカから受信音声が出る。
【０００４】
一方、音声の送信は以下のように行われる。
１．端末の送信ボタン(プレスボタン)を押すと、送信信号（ＰＴ信号）が制御分散装置に流れる。
２．送信信号は制御分散装置から各端末に分配され、各端末は無線機が使用中であることを知らせるためにランプ等の表示を行う。同時に送信信号は無線機に対しても送られる。
３．端末にて送信ボタンを押しながらマイクに向かってしゃべると、その送信音声は音声分散装置に流れる。
４．音声分散装置が送信音声を受け取ると無線機に流す。
５．無線機は、送信信号を受けている間、受けている送信音声を変調し無線で音声を送信する。
【０００５】
図６は、公衆回線や専用回線などの有線回線による音声の送受信システムの従来例を示す。この図６に示すシステムは、社内交換機を用いた電話システムであり、着信時の音声の送受信（送受話）は以下のように行われる。
【０００６】
１．社内交換機が公衆回線、専用回線から着信信号を受ける。
２．社内交換機は該当端末(電話機)に着信信号を送る。
３．端末はベルやブザーを鳴動させ、着信を知らせる。
４．端末の送受器を取る（回線捕捉する）と、着信鳴動は停止し送受話が行えるようになる。
５．送受話が終了すると、送受器を定位置へ戻し回線が切れ、終話となる。
【０００７】
一方、発信時の音声の送受信（送受話）は以下のように行われる。
１．端末の送受器を取る。
２．端末から発信する相手先の番号を入力する。
３．社内交換機は入力された相手先番号を公衆回線又は専用回線に流す。
４．相手先が着信する。
５．相手先が当該回線を捕捉すると、送受話が行える。
６．送受話が終了すると、送受器を定位置へ戻し回線が切れ、終話となる。
【０００８】
以上が典型的な従来の音声の送受信システムであるが、このような従来の音声の送受信システムには以下のような問題がある。
【０００９】
すなわち、図５に示す無線系のシステムにおいては、制御分散装置と音声分散装置の２つの分散装置が必要であるのでシステム構成が複雑になるとともに、制御分散装置と音声分散装置のそれぞれから各端末までの配線が必要であるので配線量が多くなり、端末移動時の配線作業が煩雑になる。とくに、図５に示すように複数の無線機を用いてシステムを構成する場合、各端末がすべての無線機を通じて送受信を行えるようにするには、すべての制御分散装置及び音声分散装置から各端末までの配線が必要であり、その配線作業は極めて煩雑となる。
【００１０】
また、図６に示す有線系のシステムにおいても、社内交換機から各端末までの配線が必要であるので、無線系の場合と同様に配線量が多くなり、端末移動時の配線作業が煩雑になる。
【００１１】
さらに、無線系、有線系とも、端末を接続する際、アナログ系で接続されているためインピーダンスマッチング等の電気特性を考慮しなければならない。また、増設についても接続台数に限度がある。
【００１２】
これに対して、近年の急速なネットワーク技術の発展に伴い、ネットワーク網を利用したデータの送受信が行われるようになって来ており、例えば、特許文献１，２等に見られるようなＩＰ電話システムも普及し始めている。
【００１３】
しかし、ＩＰ電話システムは、各端末（電話機）間で音声の送受信を行うシステムであり、上述のように、各端末が既存の無線回線（無線機）や有線回線を通じて音声を送受信するシステムとは基本構成が異なる。
【特許文献１】特開２００１−１４４８０５号公報
【特許文献２】特開２００３−３２３７９号公報
【発明の開示】
【発明が解決しようとする課題】
【００１４】
本発明が解決しようとする課題は、各端末が無線回線又は有線回線を通じてデータを送受信するデータ送受信システムにおいて、そのシステム構成を簡単にするとともに、各端末までの配線量を低減することにある。
【課題を解決するための手段】
【００１５】
本発明は、既存の無線回線及び有線回線をＩＰ化することによって、上記課題を解決した。すなわち、本発明は、各端末が無線回線又は有線回線を通じてデータを送受信するデータ送受信システムにおいて、前記各端末、無線回線及び有線回線を、データのアナログ・デジタル変換が可能なＩＰ化モジュールを介して、インターネット網やＬＡＮ等のネットワーク網に接続可能としたことを特徴とするものである。
【００１６】
本発明において、各端末に付帯するＩＰ化モジュールは無線でネットワーク網に接続可能なものとすることが好ましい。
【発明の効果】
【００１７】
本発明では、各端末、無線回線及び有線回線を、ＩＰ化モジュールを介してネットワーク網に接続可能としたので、その配線は、各端末、無線回線及び有線回線とＩＰ化モジュールとの間の配線のみとなり、従来の無線系、有線系のシステムに比べ、配線量が大幅に少なくなり、システム構成も簡単になる。
【００１８】
また、各端末の接続において、インピーダンスマッチング等の電気特性を考慮する必要がなくなり、ＩＰアドレスの取得が可能な限り、増設、追加が自由となる。そして、端末同士も例えば内線電話と同じ要領で通話が可能となる。
【００１９】
さらに、各端末に付帯するＩＰ化モジュールを無線でネットワーク網に接続可能なものとすれば、端末の移動が容易に行えるようになる。
【発明を実施するための最良の形態】
【００２０】
以下、図面に示す実施例に基づき本発明の実施の形態を説明する。
【実施例１】
【００２１】
図１は本発明の第１実施例のシステム構成を示す。
【００２２】
図１に示すデータ送受信システムは、各端末が無線機（無線回線）を通じて音声を送受信する無線系のシステムであり、各端末及び各無線機は、ＩＰ化モジュールを介してネットワーク網に接続可能となっている。
【００２３】
各ＩＰ化モジュールはそれぞれ固有のＩＰアドレスを有しており、ネットワーク網に接続するためのネットワーク接続機能と、送受信する音声をアナログ・デジタル変換するＡＤ変換機能を備える。
【００２４】
図２は、ＩＰ化モジュールの構成例を示す。同図に示すように、ＩＰ化モジュールは、Ａ／Ｄ変換部１と、Ｄ／Ａ変換部２、ＢＩＴ（ビット）制御部３、デジタルデータ制御部４、ＩＰ化制御部５、有線ＬＡＮ制御部６、無線ＬＡＮ制御部７の７つの部位から構成される。
【００２５】
各部位は以下の処理を行う。
［Ａ／Ｄ変換部１］
外部から入力された音声、映像等のアナログデータをネットワーク網に接続できるデジタルデータに変換する。
［Ｄ／Ａ変換部２］
ネットワーク網から受信したデジタルデータを音声、映像等のアナログデータに変換し外部に出力する。
［ＢＩＴ制御部３］
外部から入力された受信信号や送信信号をネットワーク網に接続できるデジタルデータに変換してデジタルデータ制御部４に出力し、また、ネットワーク網から受信したデジタルデータを外部に出力できる受信信号や送信信号に変換する。
［デジタルデータ制御部４］
デジタル化された音声、映像データ及びＢＩＴ制御部３からのデータをデジタル加工し、ＩＰ化制御部５からＩＰアドレスを取得後、ネットワーク網へ出力する。また、ネットワーク網から入力されたデジタルデータを解析し、音声・映像データはＤ／Ａ変換部２に、ＢＩＴ（ビット）制御データはＢＩＴ制御部３に出力する。
［ＩＰ化制御部５］
ネットワーク網へ出力するデータにＩＰアドレスを割り付ける。
［有線ＬＡＮ制御部６］
送受信データを有線ＬＡＮに対して入出力する。
［無線ＬＡＮ制御部］
送受信データを無線ＬＡＮに対して入出力する。
【００２６】
以上の構成において、音声の受信は以下のように行われる。
１．無線機が音声を受信すると、その受信音声及び受信信号（ＳＱ信号）は、ともに無線機に付帯するＩＰ化モジュールに流れ、それぞれ当該ＩＰ化モジュール内でデジタルデータに変換される。
２．デジタルデータはネットワーク網を通し各端末に付帯するＩＰ化モジュールへ送られる。
３．各端末に付帯するＩＰ化モジュールは、受信したデジタルデータをアナログデータ（受信音声及び受信信号）に再変換する。
４．各端末は、再変換されたアナログデータを受信し、無線機から受信があったことを知らせるためにランプ等の表示を行うとともに、スピーカから受信音声を流す。
【００２７】
一方、音声の送信は以下のように行われる。
１．端末の送信ボタン(プレスボタン)を押すと、送信信号（ＰＴ信号）がその端末に付帯するＩＰ化モジュールに流れ、送信信号は当該ＩＰ化モジュール内でデジタルデータに変換される。
２．デジタルデータはネットワーク網を通し他の端末に付帯する各ＩＰ化モジュールへ送られる。他の端末に付帯する各ＩＰ化モジュールはデジタルデータをアナログデータ（送信信号）に再変換し、それを受けて端末は当該無線機が使用中であることを知らせるためにランプ等の表示を行う。同時に前記デジタルデータは、ネットワーク網を通し無線機に付帯するＩＰ化モジュールにも送られ、そのデジタルデータはアナログデータ（送信信号）に再変換され無線機に送られる。
３．端末にて送信ボタンを押しながら、マイクに向かってしゃべると、送信音声はその端末に付帯するＩＰ化モジュール内でデジタルデータに変換されネットワーク網に流れる。
４．無線機に付帯するＩＰ化モジュールが送信音声のデジタルデータを受け取ると、アナログデータ（送信音声）に再変換して無線機に流す。
５．無線機は、送信信号を受けている間、受けている送信音声を変調し無線で音声を流す。
【実施例２】
【００２８】
図３は本発明の第２実施例のシステム構成を示す。
【００２９】
図３に示すデータ送受信システムは、公衆回線や専用回線などの有線回線を通じて音声を送受信する有線（電話）系のシステムであり、各端末及び各有線回線は、ＩＰ化モジュールを介してネットワーク網に接続可能となっている。
【００３０】
この有線（電話）系のシステムにおいて、着信時の音声の送受信（送受話）は以下のように行われる。
１．有線回線に付帯するＩＰ化モジュールが当該回線から着信信号を受ける。
２．当該回線のＩＰ化モジュールは、着信信号をデジタルデータに変換し、そのデジタルデータを、ネットワーク網を通し該当端末(電話機)に付帯するＩＰ化モジュールに送る。
３．当該ＩＰ化モジュールは、デジタルデータをアナログデータ（着信信号）に再変換し、付帯する端末に送る。これを受けて当該端末はベルやブザーを鳴動させ、着信を知らせる。
４．端末の送受器を取る（回線捕捉する）と、着信鳴動は停止し送受話が行えるようになる。この送受話音声は当該端末に付帯するＩＰ化モジュール内でデジタルデータに変換され、ネットワーク網に流れる。
５．有線回線に付帯するＩＰ化モジュールが送受話音声のデジタルデータを受信し、これをアナログデータ（送受話音声）に再変換する。これによって有線回線によって接続された相手先との送受話を行う。
６．送受話が終了すると、送受器を定位置へ戻し回線が切れ、終話となる。
【００３１】
一方、発信時の音声の送受信（送受話）は以下のように行われる。
１．端末の送受器を取る。
２．端末から発信する相手先の番号を入力する。
３．入力した番号は、当該端末に付帯するＩＰ化モジュール内でデジタルデータに変換される。
４．当該デジタルデータはネットワーク網を通し該当有線回線に付帯するＩＰ化モジュールに送られる。当該ＩＰ化モジュールは、デジタルデータをアナログデータに再変換し、該当有線回線に流す。
５．相手先が着信する。
６．相手先が当該回線を捕捉すると、送受話が行えるようになる。このとき、送受話音声（アナログデータ）は、端末に付帯するＩＰ化モジュールでデジタルデータに変換され、ネットワーク網を通して流れる。そして該当有線回線のＩＰ化モジュールがデジタルデータをアナログデータに再変換し、有線回線を通して相手先に流す。これによって有線回線によって接続された相手先との送受話を行う。
７．送受話が終了すると、送受器を定位置へ戻し回線が切れ、終話となる。
【００３２】
なお、図３に示したシステムでは、ネットワーク網に接続された端末間の送受話も行うことができる。
【実施例３】
【００３３】
図４は本発明の第３実施例のシステム構成を示す。
【００３４】
図４に示すデータ送受信システムは、図１に示した無線系のシステムと図３に示した有線（電話）系のシステムを統合するとともに、映像データを送受信するために映像回線（有線回線）もＩＰ化モジュールを介してネットワーク網に接続可能としたものである。これによって、同一端末で、音声のほかに映像の送受信を行うことができる。
【００３５】
また、図４に示すデータ送受信システムでは、各端末に付帯するＩＰ化モジュールを無線ＬＡＮ化し、各端末がＩＰ化モジュールを介して無線でネットワーク網に接続可能となっている。これによって、端末の移動が容易に行える。
【産業上の利用可能性】
【００３６】
本発明は、音声による各種通信指令システムに利用可能なほか、企業内の連絡システム、自治体の有線連絡システム、画像による回覧版システムなどの各種連絡システムにも利用可能である。
【図面の簡単な説明】
【００３７】
【図１】本発明の第１実施例のシステム構成を示す。
【図２】ＩＰ化モジュールの構成例を示す。
【図３】本発明の第２実施例のシステム構成を示す。
【図４】本発明の第３実施例のシステム構成を示す。
【図５】無線回線を利用した音声の送受信システムの従来例を示す。
【図６】有線回線を利用した音声の送受信システムの従来例を示す。
【符号の説明】
【００３８】
１  Ａ／Ｄ変換部
２  Ｄ／Ａ変換部
３  ＢＩＴ制御部
４  デジタルデータ制御部
５  ＩＰ化制御部
６  有線ＬＡＮ制御部
７  無線ＬＡＮ制御部
【図１】
2007325003.tif 000003
【図２】
2007325003.tif 000004
【図３】
2007325003.tif 000005
【図４】
2007325003.tif 000006
【図５】
2007325003.tif 000007
【図６】
2007325003.tif 000008